(57)【要約】【課題】本発明は誘電体の膜厚のモニタリング用静電容量テスト構造及びテスト方法に関する。【解決手段】当該テスト構造は、第１テストパッドと接続する突出部を備える上極板と、第２テストパッドと接続する突出部を備える下極板とを含み、前記上極板と下極板との間にモニタリングしようとする誘電体膜が配置され、極板の突出部が他方の極板のいずれかの部分と重ならないように、前記上極板と前記下極板が配置される。本発明にかかる誘電体の膜厚のモニタリング用静電容量テスト構造及びテスト方法によって、理想的な静電容量値が得られ、誘電体の膜厚を精密にモニタリングできる。【選択図】図２
2016025355.tif 000002
【特許請求の範囲】
【請求項１】
静電容量テスト構造であって、誘電体の膜厚のモニタリングに用いられ、
前記静電容量テスト構造は、
第１突出部を備える上極板と、
前記上極板とずらして重なって配置され、且つ第２突出部を備える下極板と、
前記上極板の前記第１突出部と接続する第１テストパッドと、
前記下極板の前記第２突出部と接続する第２テストパッドと、
を含み、
前記第１テストパッド及び前記第２テストパッドの何れか一方が、テスト信号を入力することに用いられ、他方がテスト信号を出力することに用いられ、
前記上極板の前記第１突出部又は前記下極板の前記第２突出部が、他方の極板のいずれかの部分と重ならないように、前記上極板及び前記下極板が配置され、
モニタリングしようとする前記誘電体膜が、前記上極板と前記下極板との重なり部に配置され、
前記誘電体膜の誘電率が一定である、ことを特徴とする静電容量テスト構造。
【請求項２】
静電容量テスト方法であって、誘電体の膜厚のモニタリングに用いられ、
前記静電容量テスト方法は、
第２突出部分を備える下極板を提供し、
前記下極板上に誘電体膜を形成し、
第１突出部を備える上極板を提供し、前記上極板と前記下極板とがずらして重なるように配置され、前記上極板が前記誘電体膜上に配置され、
前記上極板の第１突出部と接続する第１テストパッドを提供し、
前記下極板の第２突出部と接続する第２テストパッドを提供し、
前記上極板又は前記下極板の突出部が他方の極板のいずれかの部分と重ならないように、前記上極板及び前記下極板を配置し、
前記第１テストパッド及び第２テストパッドの何れか一方から信号を入力し、他方から信号を出力して、前記誘電体膜の静電容量のテストを行って、前記誘電体の膜厚をモニタリングすることを含み、
前記誘電体膜の誘電率が一定である、ことを特徴とする静電容量テスト方法。
【発明の詳細な説明】
【技術分野】
【０００１】
本発明は、静電容量テストの技術分野に関し、具体的には誘電体の膜厚をモニタリングすることに用いられる静電容量テスト構造及び静電容量テスト方法に関する。
【背景技術】
【０００２】
ディスプレイの製造過程において、各工程の処理結果が受け入れられるか否か、又は好ましいか否かを確認するために、素子又は構造の厚さ、抵抗、密集度、汚染度、臨界寸法及び電気特性等を測定すべきである。このような測定過程において、素子の破損を避けるために、パネルの所定部分にテストエレメントグループ（TEG）と称されるパターンを形成し、実際に実施される処理条件と同じ条件で処理した後、TEGパターンを測定することにより相応の処理又は素子の特徴を評価する。
【０００３】
ディスプレイの製造過程において、例えば、窒化ケイ素膜、シリカ膜、フォトレジスト膜等の複数回の成膜過程を行う必要があり、膜厚の適当さはディスプレイの最終性能に極めて重要な影響を及ぼす。従って、膜厚のモニタリングは非常に重要なことである。膜厚のモニタリングは、通常静電容量のテスト方法を採用し、即ち、静電容量構造を形成して、測定しようとする膜を誘電体膜として上極板と下極板との間に形成し、且つ、誘電体膜の誘電率を一定として、静電容量を測定することで膜厚の寸法を反映している。即ち、静電容量が小さいと、誘電体膜は比較的に厚く、静電容量が大きいと、誘電体膜は比較的に薄くなっている。該テスト過程において、静電容量の構造はテスト結果の正確さに直接影響を与え、ひいては膜厚のモニタリングに影響を及ぼす。
【０００４】
図１は、従来の静電容量テスト構造を示す模式図であり、図１に示すように、上極板２と下極板１を重ねて配置し、モニタリング用の誘電体膜は上極板と下極板との重なり部３に形成されている。例え、面積がａ×ａである誘電体膜を測定しょうとする場合、重なり部３の面積をａ×ａとする。テスト信号を入力するために、上極板２は第１テストパッド４と接続する突出部２-１を含み、下極板１も第２テストパッドと接続する突出部１-１を含む。上極板２の突出部２-１と下極板１の同士に面積がx×yである重なり部が存在するので、実際に測定した静電容量はＣ=ε×（ａ×ａ+x×y）/ｄになり、ε×x×y/ｄに相当する静電容量値が余って、テスト結果に影響を及ぼし、ひいては誘電体膜厚のモニタリングにも影響を及ぼす。
【０００５】
従って、現在、誘電体の膜厚を正確にモニタリングできる静電容量テスト構造及び静電容量テスト方法が必要になっている。
【発明の概要】
【課題を解決するための手段】
【０００６】
本発明は、理想的な静電容量値が得られ、誘電体の膜厚を精密にモニタリングできる誘電体の膜厚のモニタリング用静電容量テスト構造及び静電容量テスト方法を提供することを目的とする。
【０００７】
上記の目的を達成するために、本発明は以下のような構成を採用する。
誘電体の膜厚のモニタリング用静電容量テスト構造であって、第１テストパッドと接続する第１突出部を備える上極板と、第２テストパッドと接続する第２突出部を備える下極板とを含み、モニタリングしようとする誘電体膜は前記上極板と下極板との間に配置され、極板の突出部が他方の極板のいずれかの部分と重ならないように、前記上極板と前記下極板が配置されている。
【０００８】
ここで、前記上極板と前記下極板はずらして重なるように配置されている。
ここで、前記モニタリングしようとする誘電体は、上極板と下極板との重なり部に配置されている。
【０００９】
ここで、前記上極板と下極板の形状はいずれも矩形である。
ここで、前記誘電体の誘電率が一定である。
【００１０】
本発明は、さらに、誘電体の膜厚をモニタリングする静電容量テスト方法を提供し、下極板の第２突出部が第１テストパッドと接続する下極板を提供し、前記下極板上にモニタリングしようとする誘電体膜を形成し、上極板の第１突出部が第２テストパッドと接続するように、前記誘電体膜上に上極板を配置し、極板の突出部が他方の極板のいずれかの部分と重ならないように、前記上極板と前記下極板を配置し、前記第１テストパッドと第２テストパッドに信号を入力して静電容量のテストを行って、誘電体の膜厚をモニタリングする。
【００１１】
ここで、前記上極板と前記下極板をずらして重なるように配置する。
ここで、前記モニタリングしようとする誘電体を、上極板と下極板との重なり部に配置する。
【００１２】
ここで、前記上極板と下極板の形状はいずれも矩形である。
ここで、前記誘電体膜の誘電率が一定である。
【００１３】
本発明に係る誘電体の膜厚のモニタリングテスト用静電容量構造及び静電容量テスト方法によって、理想的な静電容量値が得られ、さらに実際の工程に近い実際データが得られ、誘電体の膜厚を精密にモニタリングできる。
【図面の簡単な説明】
【００１４】
【図１】従来の静電容量テスト構造を示す模式図である。
【図２】具体的な実施形態における静電容量テスト構造を示す模式図である。
【発明を実施するための形態】
【００１５】
以下、添付の図面および具体的な実施例を参照して、本発明をさらに詳しく説明する。ここで記載された具体的な実施例は、本発明を説明するために用いられ、本発明に対する限定ではないことは自明なことである。また、記載の便宜のため、図面では本発明に関する部分のみを示し、全部の構造を示しなかった。
【００１６】
本実施形態にかかる誘電体の膜厚のモニタリング用静電容量テスト構造の模式図は、図２に示されている。当該構造は、第１テストパッド４０１と接続する第１突出部２０１-１を備える上極板２０１と、第２テストパッド５０１と接続する第２突起部１０１-１を備える下極板１０１とを含み、極板の突出部が他方の極板のいずれかの部分と重ならないように、前記上極板と前記下極板とを配置する。
【００１７】
図２から分かるように、上極板と下極板とは重なって配置されており、重なり部の長さ及び幅のいずれもａであり、これは仮定したものであり、実際にはテストの必要に応じて重なり部の長さ及び幅を自由に設定することができる。例え、面積がａ×ｂである誘電体膜の静電容量を測定する必要がある場合、極板の重なり部の長さをａに設定し、幅をｂに設定することができる。同時に、上極板と下極板との形状を自由に設定することができ、工程の便利性及び空間（位置）を節約する面から考慮して、通常、上極板と下極板を矩形の形状に設定することが好ましい。
【００１８】
テストを行う場合、モニタリングしようとする誘電体膜を上極板と下極板との重なり部のみに配置する。第１テストパッド４０１と第２テストパッド５０１からテスト信号を入力する場合、測定し得た静電容量値はＣ=ε×ａ×ａ/ｄであり、ここでεは誘電率を示し、ａ×ａは静電容量構造の面積を示す。当該面積はテストに必要な理想の面積と一致し、ｄは二つの極板の間の距離であり、即ち、モニタリングしようとする誘電体の膜厚である。モニタリングしようとする誘電体膜の誘電率が一定で変化しないため、測定された静電容量値によって誘電体の膜厚を反映し、誘電体膜の膜厚をモニタリングする目的を達することができる。また、上記のテスト面積は必要な理想の面積と一致するため、実際の工程に近いデータが得られ、誘電体の膜厚を精密にモニタリングできる。
【００１９】
上記の内容から分かるように、極板の突出部が他方の極板のいずれかの部分と重なっていないため、重なり部の面積をテストを必要とする膜厚の面積に設定でき、これにより、必要な静電容量を完全に正確に測定することができる。ひいては、誤差が発生しないように誘電体の膜厚を精密にモニタリングすることができる。
【００２０】
本実施形態では、更に誘電体の膜厚をモニタリングする静電容量テスト方法を提供し、方法当該は、下極板の第２突出部１０１-１が第２テストパッド５０１と接続する下極板１０１を提供し、前記下極板上にモニタリングしようとする誘電体膜を形成し、上極板の突出部２０１-１が第１テストパッド４０１と接続するように前記誘電体膜上に上極板２０１を配置し、極板の突出部が他方の極板のいずれかの部分と重ならないように、前記上極板と前記下極板を配置し、前記第１テストパッド及び第２テストパッドに信号を入力して静電容量のテストを行って、誘電体の膜厚をモニタリングすることを含む。
【００２１】
以上の内容は、本発明の好ましい実施例及び運用した技術原理のみに過ぎない。当業者にとって、本発明はここに記載の特定の実施例により限定されるものではなく、本発明の保護範囲を逸脱しない範囲内で、さまざまな変更、新たな調整及び代替を行うことは、自明なことである。従って、以上の実施例では本発明について詳細に説明したが、本発明は以上の実施例のみに限定するのではなく、本発明の要旨を逸脱しない範囲内に、他の均等な実施例もさらに含まれ、本発明の範囲は添付の請求の範囲によって限定される。
【符号の説明】
【００２２】
１  下極板
１−１  下極板の突出部
２  上極板
２−１  上極板の突出部
３  上極板と下極板との重なり部
４  第１テストパッド
５  第２テストパッド
１０１    下極板
１０１−１    下極板の突出部
２０１    上極板
２０１−１  上極板の突出部
３０１  上極板と下極板との重なり部
４０１    第１テストパッド
５０１    第２テストパッド。
【図１】
2016025355.tif 000003
【図２】
2016025355.tif 000004